(57)【特許請求の範囲】
【請求項１】
パチンコ遊技機がその内側に固定された所定の幅を有する矩形とされた枠体が取付けられる島の前記枠体が設置される部分の上方に固定される第１部材と、
前記枠体の上方部分に固定されると共に、前記パチンコ遊技機の前後方向に平行移動可能とされ、前記第１部材との相対位置を任意として前記第１部材に固定できるようになっており、前記第１部材との相対位置を任意に決定することでパチンコ遊技機に適度な傾斜角を与えるようになっている第２部材と、
前記第２部材の下方に設けられるとともに、前記パチンコ遊技機の前後方向に平行移動可能とされ、前記第２部材との相対位置を任意として前記第２部材に固定できるようになっているとともに、前記枠体の上方部分に前記枠体の後側から当接させられる当接面を備えた当接体であり、前記第２部材と前記枠体が固定されるに先立って前記枠体の上方部分の後側の面にその当接面を当接させることで前記第２部材に対する前記枠体の前後方向の相対位置を任意に決定できるものと、
を備えてなるパチンコ遊技機の取付け装置であって、
前記当接体は、
前記第２部材に固定的に設けられ、その内周面にネジ切りがされ、且つその軸方向がパチンコ遊技機の前後方向に一致するナット孔と、
前記ナット孔に螺合するネジ切りがその外周面にされたボルト部と、前記ボルト部の先端に設けられた、前記ボルト部よりも太軸とされた略円筒形状で且つその前側端部に前記当接面が設けられた当接部と、
を備えてなり、
前記当接部は、前記ボルト部に固定された基端部材と、前記基端部材に対して予め定められた所定のピッチで前後動可能であり、且つ前記基端部材に対する前後方向の相対位置を前記所定のピッチ毎に任意に決定できるものとされた先端部材と、
を備えてなり、
前記当接体は、前記ボルト部を前記ナット孔に対して回転させることによって行われる前記当接面の無段階の前後方向の移動と、前記先端部材を前記基端部材に対して前記所定のピッチで移動させることによって行われる前記当接面の所定のピッチ毎の移動とを、選択して行えるようになっているとともに、
前記基端部材、及び前記先端部材はともに略円柱形状で、且つ同軸の位置関係となるようにされており、
前記基端部材の外周沿いの前側の面には、前記基端部材の前後方向の異なる位置にそのそれぞれが位置するようにして同形状の複数の凹部が設けられているとともに、
前記先端部材の外周沿いの後側の面には、前記基端部材の前記複数の凹部の形状に対応した形状であり、前記複数の凹部のいずれかに挿入することのできる少なくとも１つの凸部が設けられているとともに、
前記複数の凹部のうち前記凸部を挿入する前記凹部を、前記先端部材を前記基端部材に対して軸周りに回転させることによって変更することにより、前記先端部材を前記基端部材に対して前記所定のピッチで移動させられるようになっており、
前記先端部材の後側の面と、前記基端部材の前側の面を近づけるような付勢力を前記先端部材に与える弾性体を備えている、
パチンコ遊技機の取付け装置。
【請求項２】
前記複数の凹部は、前記基端部材の前側の面の外縁に、その一方から他方に向けて前記先端部材から順に遠くなるようにして一連で設けられている、
請求項１記載のパチンコ遊技機の取付け装置。
【請求項３】
前記複数の凹部は、
前記基端部材の前側の面の外縁に、その一方から他方に向けて前記先端部材から順に遠くなるようにして一連で設けられている第１の凹部セットと、
前記第１の凹部セットに含まれている各凹部と前記基端部材の軸を中心として対称の位置に存在し且つ前記基端部材の軸を中心として対称の位置に存在する前記第１の凹部セットに含まれている前記凹部と前後方向の位置を同じくする凹部であり、前記第１の凹部セットに含まれる凹部と同数の凹部により一連で設けられている第２の凹部セットと、
を形成しており、
前記凸部は、前記先端部材の後側の面の外縁に、前記先端部材の軸を中心として対称の位置に存在するように２つ設けられている、
請求項２記載のパチンコ遊技機の取付け装置。
【請求項４】
前記基端部材、及び前記先端部材はともに略円柱形状で、且つ同軸の位置関係となるようにされており、
前記先端部材の外周沿いの後側の面には、前記先端部材の前後方向の異なる位置にそのそれぞれが位置するようにして同形状の複数の凹部が設けられているとともに、
前記基端部材の外周沿いの前側の面には、前記先端部材の前記複数の凹部の形状に対応した形状であり、前記複数の凹部のいずれかに挿入することのできる少なくとも１つの凸部が設けられているとともに、
前記複数の凹部のうち前記凸部を挿入する前記凹部を、前記先端部材を前記基端部材に対して軸周りに回転させることによって変更することにより、前記先端部材を前記基端部材に対して前記所定のピッチで移動させられるようになっている、
請求項１記載のパチンコ遊技機の取付け装置。
【請求項５】
前記複数の凹部は、前記先端部材の後側の面の外縁に、その一方から他方に向けて前記基端部材から順に遠くなるようにして一連で設けられている、
請求項４記載のパチンコ遊技機の取付け装置。
【請求項６】
前記複数の凹部は、
前記先端部材の後側の面の外縁に、その一方から他方に向けて前記基端部材から順に遠くなるようにして一連で設けられている第１の凹部セットと、
前記第１の凹部セットに含まれている各凹部と前記先端部材の軸を中心として対称の位置に存在し且つ前記先端部材の軸を中心として対称の位置に存在する前記第１の凹部セットに含まれている前記凹部と前後方向の位置を同じくする凹部であり、前記第１の凹部セットに含まれる凹部と同数の凹部により一連で設けられている第２の凹部セットと、
を形成しており、
前記凸部は、前記基端部材の前側の面の外縁に、前記基端部材の軸を中心として対称の位置に存在するように２つ設けられている、
請求項５記載のパチンコ遊技機の取付け装置。
【請求項７】
前記先端部材の後側の面と、前記基端部材の前側の面の一方には、円柱形状の円柱軸が、他方には前記円柱軸に対応した断面形状を有する軸受け穴が設けられており、前記円柱軸を前記軸受け穴に挿入することで、前記先端部材の前記基端部材に対する回転運動を実現するようになっている、
請求項１又は４記載のパチンコ遊技機の取付け装置。
【請求項８】
前記凸部は、前記凹部に挿入された状態で前記弾性体により前記凹部に対して押圧されるようになっているとともに、前記先端部材を掴んだ作業者が前記先端部材の後側の面を前記基端部材の前側の面から抜けるようになっている、
請求項１又は４記載のパチンコ遊技機の取付け装置。
【発明の詳細な説明】
【技術分野】
【０００１】
本発明は、通称で「島」と呼ばれる遊技機設置台ユニットに、パチンコ遊技機（以下、これらを単に「遊技機」という場合がある。）を取付けるための技術に関する。
【背景技術】
【０００２】
遊技機は、一般的に、島と呼ばれる遊技機設置台ユニットに取付けて使用される。より詳細には、遊技機は、通常は４枚の板材を矩形に組合わせて作られる所定幅の枠体の内側に固定した後、その枠体を島に固定することにより、島に取付けられる。
従来、枠体の島への取付は、島のテーブルの上に枠体を載置した上で、島が木製であるのが通常であるということもあり、釘や木ねじなどを用いて行っている。
【０００３】
他方、パチンコ遊技機においては、出玉調整の管理が必要不可欠である。
そして、かかる管理に必要な出玉の調整はパチンコ遊技機の盤面に多数立設された釘の調節により行うのが一般的である。しかしながら、かかる釘の調節には長年の経験による熟練や勘が不可欠であり、誰でもこれを行えるといった類のものではない。
ところで、パチンコ遊技機における出玉の調整は上述の如き釘の調節によらずに行うことができる。即ち、盤面の釘を固定したままであっても、パチンコ遊技機に適度な傾斜を与えることによって、かかる調整を行うことができる。パチンコ遊技機が水平に近い角度になればなる程、球は釘によくからむようになるため、パチンコ遊技機の傾斜角を小さくすれば、球の動きに釘の影響が大きく効いてくる。このような性質を利用して、パチンコ遊技機を枠体に取付ける際に適度な傾斜を与えることで、釘の調節を行った場合と同様の効果を、釘の調節を行うよりも遥かに簡易に得られるようになる。また、事後的な傾斜角の調節を行えるようにすれば、その利便性は格段に向上する。
【０００４】
しかしながら、パチンコ遊技機の傾斜角の調整、特には設置されたパチンコ遊技機の傾斜角の調整は、釘や木ねじを使用して行う従来の枠体の島への固定を行った場合には手間がかかりすぎて到底実現不可能である。
【０００５】
このような点を考慮し、本願出願人は、特開２００９−１６５７５９に開示の発明を行った。
この出願に開示されるのは遊技機取り付け装置であり、ワンタッチに近い態様で遊技機を島に対して着脱自在に固定できるという機能を基本的に持ちながら、島に対して固定されたままの遊技機の角度の変更を行えるというものである。
遊技機を島に着脱自在に固定する機能がどのように実現されるかという点の説明は割愛するが、この遊技機取付け装置は、以下のような機構により遊技機の傾斜角の調整を実現している。
この取付け装置は、パチンコ遊技機がその内側に固定された所定の幅を有する矩形とされた枠体が取付けられる島の枠体が設置される部分の上方に固定される第１部材と、枠体の上方部分に固定されると共に、パチンコ遊技機の前後方向に平行移動可能とされ、第１部材との相対位置を任意として第１部材に固定できるようになっている第２部材と、を備えている。この取付け装置は、第２部材の第１部材に対する相対的な前後位置を調整することでパチンコ遊技機の傾斜角を調整できるようになっている。
上述の第１部材と第２部材を用いれば、遊技機の傾斜角を任意に変更することができる。しかし、第１部材と第１部材が固定される島との位置関係、及び第２部材と第２部材が固定される枠体との位置関係にバラツキが生じると、遊技機の傾斜角の変更はともかく、変更された遊技機の絶対的な傾斜角を把握することが難しくなる。そのような不具合を減じるには、第１部材と島の位置関係、及び第２部材と枠体の位置関係を一定に保つか、或いはそれらを制御するための技術が必要となる。そのような点を考慮し、上述の取付け装置は、パチンコ遊技機の絶対的な傾斜角をより正確に制御するための当接体を備えている。この当接体は、第２部材に取付けられており、その前側の端部にある当接面を、パチンコ遊技機が取付けられた枠体の上方の部分の後側の面に突き当てることができるようになっている。しかも当接面は、前後動可能となっている。したがって、上述の当接体によれば、当接面を適宜の位置に移動させることにより第２部材に対する枠体の位置を任意に位置決めすることができるから、第１部材と島の位置関係を考慮して、第２部材に対する枠体の位置を調整することにより、第１部材に対して相対的に移動させた第２部材に固定された枠体に取付けられた遊技機の絶対的な傾斜角を、より正確に把握できるようになる。
【０００６】
上述の取付け装置は、以上のような利点を備えている。しかしながら、改良の余地がないわけではない。
上述の取付け装置における当接体は、第２部材に固定されたナットに螺合されたボルトとして形成されており、ボルトの軸周りの回転によりその前後動を行なうようになっている。しかしながら、かかるボルトの回転は、取付け装置が取付けられる島の内部が、空間的な制限を受けることが多いこともあり、作業の困難を伴うことがある。
【発明の概要】
【発明が解決しようとする課題】
【０００７】
本発明は、上述の如き遊技機取付け装置を、それが備える当接体の前後動を容易に行なえるように改良することを課題とする。
【課題を解決するための手段】
【０００８】
本願発明者は、上述の課題を解決するために以下の発明を提案する。
本願発明は、パチンコ遊技機がその内側に固定された所定の幅を有する矩形とされた枠体（「枠体」は、例えば木製の、汎用の枠体でよい。）が取付けられる島（「島」は、汎用の島でよい。）の前記枠体が設置される部分の上方に固定される第１部材と、前記枠体の上方部分に固定されると共に、前記パチンコ遊技機の前後方向に平行移動可能とされ、前記第１部材との相対位置を任意として前記第１部材に固定できるようになっており、前記第１部材との相対位置を任意に決定することでパチンコ遊技機に適度な傾斜角を与えるようになっている第２部材と、前記第２部材の下方に設けられるとともに、前記パチンコ遊技機の前後方向に平行移動可能とされ、前記第２部材との相対位置を任意として前記第２部材に固定できるようになっているとともに、前記枠体の上方部分に前記枠体の後側から当接させられる当接面を備えた当接体であり、前記第２部材と前記枠体が固定されるに先立って前記枠体の上方部分の後側の面にその当接面を当接させることで前記第２部材に対する前記枠体の前後方向の相対位置を任意に決定できるものと、を備えてなるパチンコ遊技機の取付け装置である。
そして、このパチンコ遊技機の取付け装置の前記当接体は、前記第２部材に固定的に設けられ、その内周面にネジ切りがされ、且つその軸方向がパチンコ遊技機の前後方向に一致するナット孔と、前記ナット孔に螺合するネジ切りがその外周面にされたボルト部と、前記ボルト部の先端に設けられた、前記ボルト部よりも太軸とされた略円筒形状で且つその前側端部に前記当接面が設けられた当接部と、を備えてなり、前記当接部は、前記ボルト部に固定された基端部材と、前記基端部材に対して予め定められた所定のピッチで前後動可能であり、且つ前記基端部材に対する前後方向の相対位置を前記所定のピッチ毎に任意に決定できるものとされた先端部材と、を備えてなる。また、前記当接体は、前記ボルト部を前記ナット孔に対して回転させることによって行われる前記当接面の無段階の前後方向の移動と、前記先端部材を前記基端部材に対して前記所定のピッチで移動させることによって行われる前記当接面の所定のピッチ毎の移動とを、選択して行えるようになっている。
このようなパチンコ遊技機の取付け装置は、それが備える当接体が、無段階での前後方向の移動と、所定ピッチ毎の移動とを選択して行なえるので、後者を行ってから前者を行なうことで、当接体の位置決めを素早く行えるようになる。
なお、本願において、上下、前後の概念は、島に取付けられた遊技機の上下、前後に一致させられるものとする。
【０００９】
パチンコ遊技機の取付け装置の前記基端部材及び前記先端部材は、前記先端部材を前記基端部材に対して前記所定のピッチで移動させることによって行われる前記当接面の所定のピッチ毎の移動を実現できるように構成される。当接面の所定のピッチ毎の移動を実現するための構成はどのようなものであっても構わないが、例えば以下のようなものとすることができる。
パチンコ遊技機の取付け装置の前記基端部材及び前記先端部材は、ともに略円柱形状で、且つ同軸の位置関係となるようにされていてもよい。この場合、前記基端部材の外周沿いの前側の面には、前記基端部材の前後方向の異なる位置にそのそれぞれが位置するようにして同形状の複数の凹部が設けられているとともに、前記先端部材の外周沿いの後側の面には、前記基端部材の前記複数の凹部の形状に対応した形状であり、前記複数の凹部のいずれかに挿入することのできる少なくとも１つの凸部が設けられていてもよい。この場合、前記複数の凹部のうち前記凸部を挿入する前記凹部を、前記先端部材を前記基端部材に対して軸周りに回転させることによって変更することにより、前記先端部材を前記基端部材に対して前記所定のピッチで移動させられるようにすることができる。
複数の凹部のうち凸部を挿入するものを選択することにより、当接面の前後動を実現する構造である。なお、凸部は１つでも良いし、複数でも良い。
複数の凹部はどのように設けられていても構わないが、例えば、前記複数の凹部は、前記基端部材の前側の面の外縁に、その一方から他方に向けて前記先端部材から順に遠くなるようにして一連で設けることができる。このようにすれば先端部材を回転させ凸部を挿入する凹部を隣接するものに順にずらしていくと、当接面は徐々に前側に移動するか又は徐々に後側に移動することになるので、当接面の位置決めを直感的に行うに有利である。
前記複数の凹部は、前記基端部材の前側の面の外縁に、その一方から他方に向けて前記先端部材から順に遠くなるようにして一連で設けられている第１の凹部セットと、前記第１の凹部セットに含まれている各凹部と前記基端部材の軸を中心として対称の位置に存在し且つ前記基端部材の軸を中心として対称の位置に存在する前記第１の凹部セットに含まれている前記凹部と前後方向の位置を同じくする凹部であり、前記第１の凹部セットに含まれる凹部と同数の凹部により一連で設けられている第２の凹部セットと、を形成していてもよい。この場合、前記凸部は、前記先端部材の後側の面の外縁に、前記先端部材の軸を中心として対称の位置に存在するように２つ設けられているものとすることができる。
このようにすると、第１の凹部セットと第２の凹部セットのうちの前後方向の位置を同じくする凹部が対になり、凹部の対が各凹部セットに含まれている凹部の数だけできることになる。そして、凹部に凸部が挿入される場合には、第１の凹部セットと第２の凹部セットのうちの前後方向の位置を同じくする一対の凹部のそれぞれに２つの凸部が挿入されることになる。
なお、凹部セットは、第１の凹部セット、第２の凹部セットのみならず、第３の凹部セット、第４の凹部セット…のように、３つ以上とすることが可能であるが、その場合であっても第１の凹部セットと第２の凹部セットが存在することには変わりがない。また、複数の凹部セットが存在する場合には、凸部を凹部セットの数に対応させてもよいことは当業者には自明であろう。
【００１０】
基端部材と、先端部材に設ける凹部と凸部の関係は、上述の場合と逆にすることも可能であり、そのようにしても得られる作用効果には変わりがない。
例えば、前記基端部材、及び前記先端部材はともに略円柱形状で、且つ同軸の位置関係となるようにされており、前記先端部材の外周沿いの後側の面には、前記先端部材の前後方向の異なる位置にそのそれぞれが位置するようにして同形状の複数の凹部が設けられているとともに、前記基端部材の外周沿いの前側の面には、前記先端部材の前記複数の凹部の形状に対応した形状であり、前記複数の凹部のいずれかに挿入することのできる少なくとも１つの凸部が設けられているようにすることができる。この場合、前記複数の凹部のうち前記凸部を挿入する前記凹部を、前記先端部材を前記基端部材に対して軸周りに回転させることによって変更することにより、前記先端部材を前記基端部材に対して前記所定のピッチで移動させられるようになる。
前記複数の凹部は、前記先端部材の後側の面の外縁に、その一方から他方に向けて前記基端部材から順に遠くなるようにして一連で設けられていてもよい。
前記複数の凹部は、前記先端部材の後側の面の外縁に、その一方から他方に向けて前記基端部材から順に遠くなるようにして一連で設けられている第１の凹部セットと、前記第１の凹部セットに含まれている各凹部と前記先端部材の軸を中心として対称の位置に存在し且つ前記先端部材の軸を中心として対称の位置に存在する前記第１の凹部セットに含まれている前記凹部と前後方向の位置を同じくする凹部であり、前記第１の凹部セットに含まれる凹部と同数の凹部により一連で設けられている第２の凹部セットと、を形成しており、前記凸部は、前記基端部材の前側の面の外縁に、前記基端部材の軸を中心として対称の位置に存在するように２つ設けられていてもよい。凹部セットを、３つ以上としてもよい点も上述の場合と変らない。
【００１１】
本願発明のパチンコ遊技機の取付け装置は、先端部材と基端部材とを有する場合、上述したように、先端部材は基端部材に対する回転運動を行う。この回転運動はどのようにして実現されても構わないが、例えば、本願発明のパチンコ遊技機の取付け装置は、前記先端部材の後側の面と、前記基端部材の前側の面の一方には、円柱形状の円柱軸が、他方には前記円柱軸に対応した断面形状を有する軸受け穴が設けられており、前記円柱軸を前記軸受け穴に挿入することで、前記先端部材の前記基端部材に対する回転運動を実現するようになっていてもよい。
また、本願発明のパチンコ遊技機の取付け装置は、先端部材と基端部材とを有する場合、前記先端部材の後側の面と、前記基端部材の前側の面を近づけるような付勢力を前記先端部材に与える弾性体を備えているとともに、前記凸部は、前記凹部に挿入された状態で前記弾性体により前記凹部に対して押圧されるようになっているとともに、前記先端部材を掴んだ作業者が前記先端部材の後側の面を前記基端部材の前側の面から抜けるようになっていても構わない。このような構成を採用することにより、凹部に対する凸部の係合を、強固なものとすることができる。
【図面の簡単な説明】
【００１２】
【図１】遊技機取付け装置を用いて、島に枠体を固定した状態を示す正面図。
【図２】遊技機取付け装置を用いて、島に枠体を固定した状態を示す左側面図。
【図３】枠体を示す斜視図。
【図４】図１に示した遊技機取付け装置の平面図。
【図５】図１に示した遊技機取付け装置の斜視図。
【図６】図１に示した遊技機取付け装置の内部構造、及び動作を概略的に示す図。
【図７】水平材及びベース部材に設けられた孔を示す図。
【図８】可動アーム部への当接部材の取付け方を示す側面図。
【図９】図１に示した遊技機取付け装置に含まれる支持棒と当接部材を拡大して示す斜視図。
【図１０】図１に示した遊技機取付け装置に含まれる支持棒と当接部材を拡大して示す、正面図、側面図、断面図。
【発明を実施するための形態】
【００１３】
以下に、本発明を実施するための最良の一実施形態を、図面を参照しつつ説明する。
この実施形態における遊技機取付け装置１００を、図１、図２に示す。
図１は、島２００に、枠体３００を固定した状態の遊技機取付け装置１００の正面図である。図２は、同じ状態の遊技機取付け装置１００を示す側面図である。ただし、図１では、図２に示された遊技機の図示を省略している。また、島２００は通常、複数横並びにして用いられるが、図１には、１つの遊技機が取付けられる部分に相当する島の一部のみを示している。
【００１４】
まず、島２００の構成について説明する。島２００の構成は必ずしも以下に説明したものに限られないし、一般的なものでよい。
島２００は、この実施形態では、木製である。もっとも、その一部に金属等の他の素材が用いられていてもよいことはいうまでもない。島２００は、少なくとも、後述のテーブルと水平板を備えている必要がある。
この実施形態における島２００は、前後方向に伸び平行に配された２本の棒状の基礎材２１０と、基礎材２１０のそれぞれの略中心に接続された上下方向に伸びる柱部材２２０とを備えている。２本の柱部材２２０はその高さ方向の中程同士をテーブル２３０で、また上端同士を水平材２４０で接続されている。テーブル２３０と、水平材２４０と、テーブル２３０及び水平材２４０の間の２本の柱部材２２０とに囲まれた正面から見て矩形の空間が、枠体３００が嵌め込まれるスペースになる。
基礎材２１０、柱部材２２０はいずれも、この実施形態では、断面矩形の木材により構成されている。
基礎材２１０の間には、２本の基礎材２１０を連結する横補強材２１２ａが設けられている。横補強材２１２ａは、この実施形態では板状である。また、この実施形態では、互いに連結された基礎材２１０と柱部材２２０の所定の部位を結び、基礎材２１０と柱部材２２０との間の接続状態を補強する斜め補強材２１２ｂが設けられている。
【００１５】
テーブル２３０は、幅広の板状の部材である。このテーブル２３０の上に、枠体３００が載置される。テーブル２３０は、この実施形態では木製である。
水平材２４０は、板状であり、木製である。水平材２４０の前後方向の幅は、必ずしもこの限りではないが、テーブル２３０の幅よりも小さくされている。この水平材２４０の上側の面に、遊技機取付け装置１００が固定される。水平材２４０には、また、後述の可動部材を通すための後述する孔が２箇所穿たれている。
【００１６】
次に、枠体３００について説明する。枠体３００は、図３の斜視図に示したように構成されている。
この実施形態の枠体３００は、木製である。枠体３００は、４枚の板状の部材を矩形に組合わせてなる。枠体３００を作る上下左右の各部材の幅は、この実施形態では等しくされている。つまり、この実施形態では、枠体３００の前後方向の長さは枠体３００のすべての部分で等しい。また、枠体３００を構成する４枚の板状の部材の厚みは、必ずしもこの限りではないが、上と左右の部材の厚みよりも下の部材の厚みが、大きくなるようにされている。
枠体３００の上側の部材の上側の面が本願発明でいう上面３１０であり、下側の部材の下側の面が本願発明でいう下面３２０である。上面３１０と下面３２０の長さは、２本の柱部材２２０の間隔に略一致するようにされている。
枠体３００の内側の空間には、遊技機４００が嵌め込まれ固定される。かかる遊技機４００の枠体３００に対する固定は、適当な周知技術を用いて行うことができる。
【００１７】
次いで、遊技機取付け装置１００について説明する。
遊技機取付け装置１００は、水平材２４０の上面に取付けられる。遊技機取付け装置１００の水平材２４０への取付は、木ネジ、釘などを用いて適当に行えばよい。
【００１８】
遊技機取付け装置１００は、図４〜図８に示したように構成されている。
図４は、遊技機取付け装置１００の平面図（図中上側が後方である。）、図５は、遊技機取付け装置１００の一端部を拡大して示した斜視図、図６は、遊技機取付け装置１００の内部構造を示す図である。
この実施形態の遊技機取付け装置１００は、ベース部材１１０を備えている。ベース部材１１０は、板状である。この実施形態のベース部材１１０は、水平材２４０の上面よりも一回り小さい矩形の主ベース部１１１と、主ベース部１１１の長さ方向の両端部から後側に延びる固定アーム部１１２とを備えている。主ベース部１１１には、固定用の孔１１１Ａが穿設されている。ベース部材１１０を水平材２４０に載せ、孔１１１Ａに木ネジを打ち込むなどして、ベース部材１１０は水平材２４０に固定されることになる。なお、そのとき、固定アーム部１１２の先端は、水平材２４０の後側に食み出してもよい。主ベース部１１１には、図示を省略するが、後述する２つの可動部材をそれぞれ貫通させるための孔が設けられている。これら孔は、可動部材の前後動を許容するため、前後方向に所定の長さを有している。
固定アーム部１１２には、この実施形態では、図示を省略の孔の穿たれた断面Ｌ字型の固定Ｌ字金具１１２Ａが固定されている。この固定Ｌ字金具１１２Ａには、また、その孔の内側面にネジ切りのされたナット１１２Ｂがその孔と固定Ｌ字金具１１２Ａの孔と位置合わせをさせた状態で固定されている。
【００１９】
ベース部材１１０の上には、収納部材１２０が載せられている。
収納部材１２０は、この実施形態では、断面略矩形の筒状に形成された収納部１２１と、収納部１２１の長さ方向の両端部付近から後方側に延びる平面視で略Ｌ字形状の可動アーム部１２２を備えている。
両可動アーム部１２２の外側の縁部には、平面視Ｌ字型の第１金具１２２Ａと平面視略コの字型の第２金具１２２Ｂの下端が接続されている。第１金具１２２Ａと、第２金具１２２Ｂと可動アーム部１２２の接続は、この実施形態ではロウ付けにより行っている。平面視Ｌ字型の第１金具１２２Ａの可動アーム部１２２の縁に垂直な部分と、平面視略コの字型の第２金具１２２Ｂの可動アーム部１２２の縁に垂直な部分のうち前側のものとは、背中合わせの状態で密接させられている。第１金具１２２Ａと、第２金具１２２Ｂの背中合わせにされた部分には、両者を貫通する図示を省略の孔が設けられている。この孔は、固定アーム部１１２に接続された固定Ｌ字金具１１２Ａに設けられた孔と、同軸となっている。第１金具１２２Ａと、第２金具１２２Ｂの背中合わせにされた部分に設けられた孔と、固定Ｌ字金具１１２Ａに設けられた孔には、それらをまとめて貫くボルト１２３が挿入されている。ボルト１２３は、その外周面にネジ切りのしてあるネジ切り部１２３Ａと、ネジ切り部１２３Ａよりもその径が太くされ、且つその正面から六角レンチ等の工具と係合可能にされた（この実施形態では、六角レンチを挿入可能な凹部が設けられている。）頭部１２３Ｂを備えている。ボルト１２３のネジ切り部１２３Ａは、ナット１１２Ｂと螺合されている。また、第１金具１２２Ａに設けられた孔は、その内側にボルト１２３の頭部１２３Ｂが丁度嵌りこむような径の円形とされている。第２金具１２２Ｂに設けられた孔は、ボルト１２３のネジ切り部１２３が丁度嵌り合うような径の円形とされている。
このような構造となっているので、ボルト１２３を回転させた場合には、ボルト１２３（のネジ切り部１２３Ａ）はナット１１２Ｂに対して前後動を行うが、ボルト１２３の頭部１２３Ｂは、第１金具１２２Ａの前面に常に密着した状態となる。つまり、この実施形態では、ボルト１２３を任意の方向に回転させることにより、固定Ｌ字金具１１２Ａと、第１金具１２２Ａ及び第２金具１２２Ｂの背中合わせにされた部分との距離を変化させられるようになっている。これは、即ち、この実施形態では、ベース部材１１０に対して、収納部材１２０を前後動させられ、且つ収納部材１２０のベース部材１１０に対する前後位置を任意に位置決めできることを意味する。
なお、可動アーム部１２２の最も後側の端部には、当接部材が幾つかの部品を介して取付けられるが、そのことについては追って説明する。
【００２０】
収納部１２１は、上述したように断面矩形の筒状である。収納部１２１の幅（前後方向の長さ）は、水平材２４０の幅よりもやや小さくされており、その長さはベース部材１１０よりやや短くなるようにされている。
収納部材１２０の収納部１２１中には、上下方向での移動を行えるようにして収納部１２１に取付けられた移動体１２４が収納されている。
移動体１２４は、断面コの字型をしており、略コの字型に形成され、その開口が上向きになるようにして収納部１２１の内側に嵌め込まれている。
【００２１】
移動体１２４の両端には、断面略コの字型の金具を移動体１２４の上から嵌め合わせて固定することによって形成された格納部１２６が設けられている。格納部１２６の上面と下面には、図示を省略するが、孔が穿たれている。２つの孔は円形であり、この実施形態では、必ずしもその限りではないが、同径であり、平面視した場合に対応した位置に存在する。
格納部１２６は、可動部材１２７によって縦方向に貫かれている。可動部材１２７は、後述するような方法で上下動を行うものであり、それが下方に下がった場合に、その下端にある後述の突出片により水平材２４０の下方に置かれた枠体３００の上面３１０を押圧するものである。
可動部材１２７は、その外周にネジ切りのされたボルト部１２７Ａと、その上端に設けられたヘッド部１２７Ｂと、その下端に設けられた円盤状の係止部１２７Ｃとを備えている。係止部１２７Ｃの下面には、鋭い突出片１２７Ｄが設けられている。突出片１２７Ｄの形状はこの実施形態では円錐形とされているが、必ずしもその限りでなく、木材に押接されたときに木材に食い込むような形状であれば足りる。突出片１２７Ｄは単数でも複数でもよい。
ボルト部１２７Ａは、格納部１２６の内側に収納されたその内周面にネジ切りのされたナット１２７Ｅと螺合されている。また、ボルト部１２７Ａの周囲には、第１バネ１２７Ｆが設けられている。自然な状態の第１バネ１２７Ｆの長さは、ナット１２７Ｅの上面から格納部１２６の内側の上面までの距離よりも本来は長い。しかしながら、第１バネ１２７Ｆは、その下端がナット１２７Ｅの上面に、その上端が格納部１２６の内側の上面にそれぞれ当接しているので、ナット１２７Ｅと螺合したボルト部１２７Ａを含む可動部材１２７は、所定の弾性力をもって下方に付勢された状態となる。
ベース部材１１０を水平材２４０に固定したとき、可動部材１２７のボルト部１２７Ａは、格納部１２６の下面、格納部１２６の下面の下方に位置するベース部材１１０、ベース部材１１０と固定されているベース部材１１０の下方に位置する水平材２４０を貫通した状態となる。水平材２４０の厚さの如何によらず、また、水平材２４０の下方に枠体３００が置かれた場合における水平材２４０の下面から枠体３００の上面３１０までの距離の如何によらず、突出片１２７Ｄによる枠体３００の上面３１０の押圧を行えるようにするため、ベース部材１１０の下方に露出する可動部材１２７の長さを変化させることができるようにされている。それは、可動部材１２７を回転させることによって、ナット１２７Ｅに対してボルト部１２７Ａを上下方向に相対動させることによって成しえる。
なお、格納部１２６の下面に設けられる孔は、ボルト部１２７Ａの径と同じで構わないが、ベース部材１１０と、水平材２４０に設けられる可動部材１２７を貫通させるための孔は、図７に示したような前後方向（図７の上下方向）に縦長な孔となる。後述するように可動部材１２７は、収納部材１２０の前後動によって前後に動くので、上述の２つの孔の長さ方向の長さＬは、収納部材１２０の前後動によって前後動する可動部材１２７と、ベース部材１１０又は水平材２４０が干渉しないような長さとされる。また、特に上述の２つの孔のうち水平材２４０に設けられる孔の幅方向の長さｌは、遊技機取付け装置１００の取付け時に、係止部１２７Ｃが通過できるような長さとする。
収納部１２１の内部には、また、第２バネ１２８（図６）がある。第２バネ１２８は、その上端を収納部１２１の内側の上面と、その下端を移動体１２４の内側の下面と接続されている。第２バネ１２８は、力をかけていない状態からかなり伸ばした状態で、その両端を収納部１２１と移動体１２４にそれぞれ接続されている。これにより、移動体１２４には常に、収納部１２１の内側の上面に引き寄せられるような力がかかることになる。
【００２２】
収納部１２１の内部には、また、楕円形を長径と短径とに沿って４分割したうちの一つの形状に近い形状とされたカム１２５が設けられている。このカム１２５は、収納部１２１をその幅方向で貫く回転可能な軸１１３に接続されており、軸１１３を中心として９０度程度回転できるようにされており、また、その短径が略鉛直となる向きになった位置（図６（Ａ）に示された位置）と、その長径が略鉛直となる向きになった位置（図６（Ｂ）に示された位置）という２つの位置で固定できるようにされている。
軸１１３の後側の端部には、レバー１１４が着脱自在にされている。レバー１１４を図１、図６の矢印で示したように回転させると、軸１１３及びカム１２５が回転するようになっている。レバー１１４と、軸１１３を着脱自在にするには、軸１１３のいずれかの端部に断面六角形の凹部を設けるとともに、レバー１１４の基端のいずれかの面に、その凹部に嵌って係止されるような断面六角形の凸部を設けるなど、適当な公知技術を用いればよい。
上述したように、移動体１２４には常に上向きの力が働いている。したがって、移動体１２４が上下方向に移動したとしても、移動体１２４は上方向に位置するカム１２５の先端に強く押接されることになる。このようにして、カム１２５の先端が、移動体１２４の下側の部材の上側の面に当接した状態が常に保たれる。
カム１２５には、その弧の長径と交わる部分と、その弧の短径と交わる部分に直線的な部分を作ってある。したがって、レバー１１４の操作によってカム１２５を回転させると、カム１２５は、図６の（Ａ）の状態と、図６の（Ｂ）の状態となったときに、その弧の長径と交わる部分と、短径と交わる部分に作ってある直線的な部分が移動体１２４の内側の下面に当接して安定した状態となる。これにより、カム１２５と移動体１２４は、図６の（Ａ）の状態と、図６の（Ｂ）の状態となったときに安定して固定された状態となる。
【００２３】
上述したように、可動アーム部１２２の最も後側の端部には、当接部材が幾つかの部品を介して取付けられる。その状態を示したのが、図８である。
図８に示したように、可動アーム部１２２の後側（図８の右方向）の端部には、下方に向かって折れ曲がる、断面Ｌ字型の懸垂金具１４１が、例えば、ネジ止めによって取付けられる。懸垂金具１４１の下方に向かって延びる部分には、孔１４１Ａが穿たれている。その孔１４１Ａの後側には、その内周面にネジ切りのされたナット１４２が配されている。そして、ナット１４２と、孔１４１Ａを貫通するようにして、断面円形の支持棒１４３が配されている。支持棒１４３は、その外周面にネジ切りがされており、ナット１４２と螺合している。支持棒１４３の前側の端部には、この実施形態では金属によって形成の支持棒１４３よりも大径とされた円筒形の当接部材１４４が支持棒１４３に対して同軸の状態となるようにして取付けられている。当接部材１４４は、図８に示したように、枠体３００が配されたときに、枠体３００の上側の部材に後側から当接させられるようになっている。
支持棒１４３の後側の端部には、必ずしもこの限りではないがこの実施形態では樹脂製とされた円盤状に形成のハンドル１４５が、同軸となるようにして支持棒１４３に取付けられている。ハンドル１４５を回転させると支持棒１４３が軸周りに回転し、支持棒１４３はハンドル１４５の回転方向に応じて前方又は後方に移動する。つまり、当接部材１４４は支持棒１４３の回転により前方又は後方に移動する。
【００２４】
支持棒１４３及び当接部材１４４を、図９、及び図１０に拡大して示す。図９は、支持棒１４３及び当接部材１４４の斜視図であり、図１０は同断面図である。
【００２５】
当接部材１４４は、基端部材１４４１と、先端部材１４４２の２つの部材を含んで構成されている。基端部材１４４１と先端部材１４４２は、どちらも略円柱形状であり、支持棒１４３と同軸になっている。
基端部材１４４１は、支持棒１４３の先端に固定されている。
先端部材１４４２は、基端部材１４４１とは固定されていない。
【００２６】
基端部材１４４１の前側の面の外周は、階段状、より詳細には螺旋階段状に切り欠かれている。基端部材１４４１の階段状に切り欠かれている部分の階段でいえば踏み面に相当する部分にはそれぞれ、凹部１４４１Ａ〜Ｄが設けられている。凹部１４４１Ａ〜Ｄは、その形状がすべて同一で、この実施形態では略直方体形状であり、その前側の面と基端部材１４４１の外周面側の面が開放されている。必ずしもこの限りではないが、この実施形態では、隣接する踏み面間（凹部１４４１Ａ〜Ｄ間）の距離は一定（例えば、２ｍｍ程度）であり、また、隣接するもの同士の前後方向の間隔は一定である。
なお、基端部材１４４１の前側の面の外周の、図９で示した部分の丁度裏側には、図９に現れているのと同様の階段状の切欠と凹部が存在する。その階段状の切欠と凹部は、図９に現れている切欠と凹部と軸対称の形状となっている。図９に現れている４つの凹部１４４１Ａ〜Ｄのセットと、図９に現れていない４つの凹部のセットは、その一方が本願発明における第１の凹部セットに、その他方が本願発明における第２の凹部セットに相当する。なお、図１０には、第１の凹部セットに含まれる凹部のうちの凹部１１４１Ｃ、１４４１Ｄと、第２の凹部セットのうちの凹部１４４１Ａ´（凹部１４４１Ａと対称の位置にある凹部）、凹部１４４１Ｂ´（凹部１４４１Ｂと対称の位置にある凹部）が現れている。もちろん、図には表れていないが、第２の凹部セットには、凹部１４４１Ｃと対称の位置にある凹部１４４１Ｃ´と凹部１４４１Ｄと対称の位置にある凹部１４４１Ｄ´も存在する。
基端部材１４４１の前側の面には、また、基端部材１４４１と同軸である円筒形の突出筒１４４１Ｘが設けられている。必ずしもこの限りではないが、この実施形態における突出筒１４４１Ｘの内部には、支持棒１４３の細くなった前側の端部が挿入されている。支持棒１４３の前側の端部は、突出筒１４４１Ｘの内周面に適当な方法で固定されている。
【００２７】
先端部材１４４２は筒状であり、先端部材１４４２の後側の面の外周は、スロープ状に切り欠かれている。そして、そのスロープの後端には、凹部が設けられた上述の階段でいう踏み面の形状に等しい形状の平面をその後端に有する段部１４４２Ａと、その段部１４４２Ａから更に後側に突出した凸部１４４２Ｂが設けられている。凸部１４４２Ｂは、凹部１４４１Ａ〜Ｄ、Ａ´〜Ｄ´に対応した形状とされており、凹部１４４１Ａ〜Ｄ、Ａ´〜Ｄ´のいずれかに選択的に挿入することができるようになっている。なお、先端部材１４４２の後側の面は必ずしもスロープ状に切り欠かれている必要はなく、凹部１４４１Ａ〜Ｄ、Ａ´〜Ｄ´に凸部１４４２Ｂ（と後述する凸部１４４２Ｂ´）を挿入する際に、先端部材１４４２の後側の面が基端部材１４４１の前側の面に干渉しないような形状になっていればそれでよい。
なお、先端部材１４４２の後側の面の外周の、図９で示した部分の丁度裏側には、図９に現れているのと同様の段部１４４２Ａ´と凸部１４４２Ｂ´が設けられている。
先端部材１４４２の後側の面には、また、孔１４４２Ｘが開けられている。この孔１４４２Ｘは、先端部材１４４２と同軸であり、基端部材１４４１の突出筒１４４１Ｘの外径に対応した断面円形の形状となっている。孔１４４２Ｘの内部に突出筒１４４１Ｘが挿入され、先端部材１４４２は突出筒１４４１Ｘを軸として基端部材１４４１に対して回転可能となっている。
【００２８】
先端部材１４４２の内部には、付勢バネ１４４３が配されている。付勢バネ１４４３は、リムを有する鍋型の押え部材１４４３Ａと、先端部材１４４２の後側の面に設けられた孔１４４２Ｘの前側の端部の外周部分とに、その前後の端部を固定的に接続されている。押え部材１４４３Ａは、押え部材１４４３Ａの中心を貫くネジ１４４３Ｂにより、突出筒１４４１Ｘの内部に挿入された支持棒１４３の細くなった前側の端部に螺合されている。付勢バネ１４４３の長さは、先端部材１４４２を基端部材１４４１に近づける方向で先端部材１４４２を常に付勢するようなものとなっている。
先端部材１４４２の前側には、例えば印刷により形成された目盛１４４２Ｃを有する、その中心に孔の空いた先端板１４４２Ｄが配されている。先端板１４４２Ｄは、先端部材１４４２の内部に沿う中空の円筒板１４４２Ｅでその縁部を支持されている。円筒板１４４２Ｅはその下端が基端部材１４４１の突出筒１４４１Ｘに接続されている。なお、円筒板１４４２Ｅは先端部材１４４２とは固定されていない。
先端部材１４４２の前側の面には、目印１４４２Ｆが設けられている。目印１４４２Ｆは、凸部１４４２Ｂ又は凸部１４４２Ｂ´と対応した位置に設けられている。
なお、先端部材１４４２の前側の面と、先端板１４４２Ｄは面一になっており、それら２つの面により形成される面が、本願発明における当接面に相当する。
【００２９】
以上のような当接部材１４４は、基端部材１４４１の前後位置が固定されたまま先端部材１４４２を凹部１４４１Ａ〜Ｄまたは凹部１４４１Ａ´〜Ｄ´の段差分のピッチで前後動させることが可能となっている。
それは以下のようにして行なう。
作業者は、先端部材１４４２を適宜の位置に位置決めするにあたり、凸部１４４２Ｂと凸部１４４２Ｂ´の一方を、凹部１４４１Ａ〜Ｄの中から選択したもののうちの１つに、他方を凹部１４４１Ａ´〜Ｄ´のうちの凹部１４４１Ａ〜Ｄの中から選択されたものと対となるものにそれぞれ挿入する。すると、凸部１４４２Ｂと凸部１４４２Ｂ´は、凹部１４４１Ａ〜Ｄのうちの例えば、凹部１４４１Ａと凹部１４４１Ａ´の一方と他方にそれぞれ嵌り込み、結果として、先端部材１４４２の当接面が前後方向の適宜の位置に位置決めされる。その状態で、付勢バネ１４４３は、先端部材１４４２を基端部材１４４１の向きに付勢するので、凸部１４４２Ｂと、凸部１４４２Ｂ´は、凹部１４４１Ａ〜Ｄのうちの１つと凹部１４４１Ａ´〜Ｄ´のうちの凹部１４４１Ａ〜Ｄの中から選択されたものと対となるものとに、しっかり係合させられる。なお、作業者が、凸部１４４２Ｂと凸部１４４２Ｂ´を、凹部１４４１Ａと凹部１４４１Ａ´、凹部１４４１Ｂと凹部１４４１Ｂ´、凹部１４４１Ｃと凹部１４４１Ｃ´、凹部１４４１Ｄと凹部１４４１Ｄ´のいずれの凹部に挿入するかは、先端板１４４２Ｄの目盛１４４２Ｃと、先端部材１４４２に設けられた目印１４４２Ｆを利用すれば簡単に行なえる。先端板１４４２Ｄの目盛１４４２Ｃは、凹部１４４１Ａ〜Ｄと、凹部１４４１Ａ´〜Ｄ´のいずれかに対応している。他方、目印１４４２Ｆは、凸部１４４２Ｂ、１４４２Ｂ´の一方に対応している。目印１４４２Ｆを、いずれかの目盛１４４２Ｃに合わせれば、目印１４２２Ｆが合わせられた目盛１４４２Ｃに対応付けられた凹部（１４４１Ａ〜Ｄ又は凹部１４４１Ａ´〜Ｄ´のうちの１つ）と、それに対応付けられた凹部（１４４１Ａ〜Ｄ又は凹部１４４１Ａ´〜Ｄ´のうちの１つ）に、凸部１４４２Ｂ、１４４２Ｂ´が嵌り込むことになる。
作業者は、当接面の変更を行う場合には、先端部材１４４２を摘んで付勢バネ１４４３の付勢力に抗して前方に引き出し、凸部１４４２Ｂ、１４４２Ｂ´を凹部１４４１Ａ〜Ｄと、凹部１４４１Ａ´〜Ｄ´から抜き出す。この状態で先端部材１４４２は基端部材１４４１に対して回転するので、基端部材１４４１を適宜回転させ、凸部１４４２Ｂ、１４４２Ｂ´を凹部１４４１Ａ〜Ｄと、凹部１４４１Ａ´〜Ｄ´のうちの適当なものに挿入する。
図９、図１０はいずれも、（Ａ）は凹部１４４１Ａと凹部１４４１Ａ´に凸部１４４２Ｂ、１４４２Ｂ´を挿入した状態を示し、（Ｂ）は凹部１４４１Ｄと凹部１４４１Ｄ´に凸部１４４２Ｂ、１４４２Ｂ´を挿入した状態を示す。
このようにして、凸部１４４２Ｂ、１４４２Ｂ´は、凹部１４４１Ａ〜Ｄと凹部１４４１Ａ´〜Ｄ´のうちの適当なものに挿入することが可能であり、そうすることによって当接面を凹部１４４１Ａ〜Ｄと凹部１４４１Ａ´〜Ｄ´の前後位置に応じた所定のピッチで前後動させられることになる。
【００３０】
次いで、この遊技機取付け装置１００の使用方法について説明する。
遊技機取付け装置１００を使用するにあたっては、まず、遊技機取付け装置１００を島２００の水平材２４０に固定する。
上述したように、遊技機取付け装置１００は、水平材２４０の上側の面に固定される。遊技機取付け装置１００を水平材２４０に固定する場合には、水平材２４０に予め設けられた２つの孔に遊技機取付け装置１００が有する可動部材１２７を貫通させてから、ベース部材１１０を適当な方法で水平材２４０に固定する。
遊技機取付け装置１００の水平材２４０への取付けに前後して、水平材２４０の下方に突出する可動部材１２７の長さを調整するために、必要に応じて、可動部材１２７を回転させる。水平材２４０の下方に突出する可動部材１２７の長さを調整は、遊技機取付け装置１００の水平材２４０への固定に先んじて行っても構わない。
【００３１】
次に、基端部材１４４１の前後位置を固定したまま先端部材１４４２を所定のピッチで前後動させて、当接面の位置決めを行う。所定のピッチで当接面の位置決めを粗く行った後、必要であれば、支持棒１４３を回転させて、当接部材１４４の前後方向の位置を前後させ、当接面の前後位置をより正確に位置決めする。当接部材１４４は、テーブル２３０に載った状態で前側から押し込まれた枠体３００の背面がそこに止まると好ましい位置に、その先端が位置するようにする。なお、当接部材１４４の位置決めは、遊技機取付け装置１００の水平材２４０への固定に先んじて行っても構わない。
次に、遊技機取付け装置１００と、両側の柱部材２２０と、テーブル２３０に囲まれた空間に、遊技機４００の固定された枠体３００を嵌め込む。このとき、枠体３００は、枠体３００の下面３２０がテーブル２３０の上側の面に当接するようにして、テーブル２３０上に載置される。当接部材１４４の位置が予め調整してあるので、２つの当接部材１４４の双方に枠体３００の背面を当接させるだけで、枠体３００及び遊技機４００は、前後方向における適当な位置に位置決めされることになる。
なお、この状態では、カム１２５は、図６（Ａ）に示された位置に位置するようにされている。この状態では、カム１２５の弧の短径と交わる部分が、移動体１２４の内側の下面に当接している。
この状態で、遊技機取付け装置１００の所定の部位（例えば、固定アーム部１１２）と、枠体３００の所定の部位（例えば、枠体３００の左右の部材、或いは上の部材）とを、紐などの線状体で適当に結んでおくか、遊技機取付け装置１００の所定の部位に結んだ線状体を枠体３００に引っ掛けておくとよい。これは、遊技機取付け装置１００による枠体３００の固定を解除したときに枠体３００の転倒を防止できる点で有用である。
次いで、軸１１３に取付けたレバー１１４を操作して、カム１２５を回転させる。カム１２５が回転し、第２バネ１２８からの力に抗してその全体が押し下げられて移動体１２４は下方向に移動する。これにより、カム１２５は、図６（Ｂ）に示された位置に位置することになる。この状態では、カム１２５の弧の長径と交わる部分が、移動体１２４に当接することになる。
移動体１２４の下方向への移動に伴って、移動体１２４の両端に設けられた格納部１２６も下方に下がる。それにより、格納部１２６に取付けられた可動部材１２７も下方に下がり、可動部材１２７の先端の突出片１２７Ｄが枠体３００の上面３１０に食い込んで枠体３００の上面３１０を下方向に押圧する。枠体３００が木製又はアルミ製であれば、突出片１２７Ｄは問題なく枠体３００の上面３１０に食い込む。それにより、枠体３００は、テーブル２３０と可動部材１２７によって挟持され、島２００に固定されることになる。このとき、枠体３００の上面３１０の位置が予定された位置よりも多少上側にあったとしても、枠体３００の固定には問題は生じない。そのような場合には、突出片１２７Ｄの設けられた係止部１２７Ｃは、ナット１２７Ｅが第１バネ１２７Ｆによる下向きの付勢力に抗して上方に上がることにより、上方向に多少移動するからである。
枠体３００を島２００に固定したら、レバー１１４を軸１１３から取外す。この状態で、必要であれば、ボルト１２３を回転させ、ボルト１２３をナット１１２Ｂに対して前後動させ位置決めすることにより、収納部材１２０を前後方向で適当に位置決めする。そうすることにより、可動部材１２７によって固定された枠体３００の上面が前後動させられるので、遊技機４００の傾斜角の調整が可能となる。なお、かかる収納部材１２０の位置決めは、収納部材１２０の両端に位置する２つのボルト１２３の双方を適切に回転させることにより、正確に行うことができる。
以上のようにして、枠体３００の島２００への固定が終了する。
枠体３００を島２００から取外すときは、細々とした調整は不要であるが、基本的には上述の作業を逆に行えばよい。
【００３２】
なお、以上の遊技機取付け装置１００では、凸部は、凸部１４４２Ｂ、１４４２Ｂ´の２つであったが、これを１つとすることも可能である。
他方、以上の遊技機取付け装置１００では、凹部のセットは、凹部１４４１Ａ〜Ｄと、凹部１４４１Ａ´〜Ｄ´の２組みとされていたが、これを１組にする、或いは３組以上とすることも可能である。このとき、凸部の数は、凹部のセットの数と同数とすることもできるし、そうしないこともできる。凸部の数は、理論上、凹部のセットの数と同数かそれよりも少ない所定の数とすることができるが、凹部のセットの数が自然数Ｎであるとすると、１以外のＮの約数と同じにするのが先端部材１４４２の安定性という観点からは好ましいといえる。
また、以上の遊技機取付け装置１００では、先端部材１４４２に凸部１４４２Ｂ、１４４２Ｂ´が、基端部材１４４１に、凹部１４４１Ａ〜Ｄ、凹部１４４１Ａ´〜Ｄ´が、それぞれ設けられていたが、両者の関係を逆転させることが可能である。
また、以上の遊技機取付け装置１００では、先端部材１４４２に突出筒１４４１Ｘが設けられ、基端部材１４４１に孔１４４２Ｘがそれぞれ設けられ、前者を後者に挿入することとしていたが、両者の関係を逆転させることが可能である。
【符号の説明】
【００３３】
１００  遊技機取付け装置
１１０  ベース部材
１１３  軸
１１４  レバー
１２０  収納部材
１２１  収納部
１２２  可動アーム部
１２３  ボルト
１２４  移動体
１２５  カム
１２６  格納部
１２７  可動部材
１２７Ｆ  第１バネ
１２８  第２バネ
２００  島
２１０  基礎材
２２０  柱部材
２３０  テーブル
２４０  水平材
３００  枠体
３１０  上面
３２０  下面
４００  遊技機
１４４  当接部材
１４４１  基端部材
１４４１Ａ〜Ｄ  凹部
１４４１Ａ´〜Ｄ´  凹部
１４４１Ｘ  突出筒
１４４２  先端部材
１４４２Ａ  段部
１４４２Ｂ  凸部
１４４２Ｂ´  凸部
１４４２Ｃ  目盛
１４４２Ｆ  目印
１４４２Ｘ  孔
１４４３  付勢バネ
【図１】
0005414485.tif 000002
【図２】
0005414485.tif 000003
【図３】
0005414485.tif 000004
【図４】
0005414485.tif 000005
【図５】
0005414485.tif 000006
【図６】
0005414485.tif 000007
【図７】
0005414485.tif 000008
【図８】
0005414485.tif 000009
【図９】
0005414485.tif 000010
【図１０】
0005414485.tif 000011